(57)【要約】【課題】簡易店舗などに用いられる組立式建屋の土台に取付けられる土台カバーにおいて、屋内側に雨水や着霜などの水滴の浸入を防ぐと共に、建屋組み上げ後も、アンカーボルトの取付け取外し可能な組立式建屋の土台カバーを提供することを課題とするものである。【解決手段】土台カバーの屋内側に雨水や着霜などの水滴の浸入を防ぐ段差を土台の長手方向に沿って有し、かつ土台の幅方向に分割可能なものとする。【選択図】図１Ａ
2008127815.tif 000002
【特許請求の範囲】
【請求項１】
基礎上にアンカーボルトにて固定される断面Ｃ字状の土台と土台上部に取付けられる土台カバー補強金具を覆う組立式建屋の土台カバーであって、屋内側に雨水や着霜などの水滴の浸入を防ぐ段差を土台の長手方向に沿って備え、かつ土台の幅方向に分割可能なことを特徴とする組立式建屋の土台カバー。
【請求項２】
前記土台カバーは、土台の長手方向に沿って屋外側を覆う第１の土台カバーと屋内側を覆う第２の土台カバーからなり、第１、第２のカバーを組合せることで前記段差を形成することを特徴とする請求項１に記載の組立式建屋の土台カバー。
【請求項３】
建屋の組み上げ後、前記第２の土台カバーのみを取外し、土台のＣ字状開口部を介してアンカーボルトを取付けまたは取外し可能にしたことを特徴とする請求項２に記載の組立式建屋の土台カバー。
【請求項４】
前記第１の土台カバーは、基礎上から土台上部に取付けられる土台カバー補強金具までを高さ方向に沿って屋外側を覆う側面部と、前記土台カバー補強金具の上端にて屋内側に折り曲げ壁パネルを支持するための折曲面部と、前記折曲面部の側端辺に第２の土台カバーを下方向から係合する立ち上がりアーム部とが土台の長手方向に沿って一体的に形成され、前記第２の土台カバーは、基礎上から土台の高さ方向に沿って屋内側を覆う側面部と、土台と第２の土台カバーを固定するための断面略Ｌ字状の支持体と、前記側面部に連続して形成される前記第１の土台カバーの立ち上がりアーム部と上方向から係合する下向きアーム部とが土台の長手方向に沿って一体的に形成されていることを特徴とする請求項２または３に記載の組立式建屋の土台カバー。
【発明の詳細な説明】
【技術分野】
【０００１】
本発明は、簡易店舗などに用いられる組立式建屋の土台カバーに関する。
【背景技術】
【０００２】
従来の簡易店舗などの組立式建屋に用いられる土台カバーは、屋内で設置されることを前提としているため、図２の（１）に示すように上面が水平に形成された土台カバー４´に壁パネル７を立設すると、土台カバー４´と壁パネル７の接触面には僅かな隙間が生じることがある。
【０００３】
このような構造の土台カバー４´を完全屋内環境にて設置または使用するのであれば何ら問題はない。しかし多くの簡易店舗などは、駅などのホームにて設置されているキオスク等に見られるように、半屋内環境にて雨風に曝されているケースも多く、このような設置環境においては、土台カバー４´と、土台カバー４´の上面に立設される壁パネル７との接触面の僅かな隙間に、雨水や着霜による水滴が滲み込み、屋内側へ浸入することがある。
【０００４】
これらの問題を解決するために、図２の（２）に示すように当該隙間にシール材によるコーキング８をして水滴の染み込みを防ぐ方法や、特許文献１に記載のような水切り板を設けて水滴の浸入を防ぐ方法も見られるが、前者については、建屋組み上げの度にシール材によるコーキングを行うことは工期が比較的短期に設定されている簡易店舗の施工にあっては、意外と手間の掛かる作業であり作業効率上問題がある。また、後者の水切り板については、屋内側の壁パネルに着霜する水滴の問題を解決することはできない。
【０００５】
更に、従来における簡易店舗などの組立式建屋は、建物を組み上げた後、構造的な変更や耐震性の事情も相俟って、アンカーボルトの取付け位置の変更や、あるいは土台に新たなアンカーボルトの取付けが必要なケースがある。
【０００６】
このような場合、従来の組立式建屋における土台カバーは、土台全域を覆い一体的に形成されているものが多く、建物を組み上げ後のアンカーボルトの取付け位置の変更や、新たなアンカーボルトの取付けは、建屋を一度分解または取壊しを行い、土台を覆う土台カバーを一度取外した後、アンカーボルトを取付けなければならない。これら構造的問題からくる一連の作業は、施工業者に過度の負担を与えると共に、工期の大幅な遅延や、建屋の分解、取壊しにともなう廃材排出等さまざまな問題がある。
【特許文献１】特開２００１−４９７４９号公報
【発明の開示】
【発明が解決しようとする課題】
【０００７】
本発明は、上記に掲げた問題点を解消すべく、簡易店舗などに用いられる組立式建屋の土台に取付けられる土台カバーにおいて、前記土台カバーの屋内側に雨水や着霜などの水滴の浸入を防ぐ組立式建屋の土台カバーを提供すると共に、建屋組み上げ後も、アンカーボルトの取付け位置の変更や、あるいは新たなアンカーボルトの取付けを、廃材を出すことなく工期を短縮し容易に組み上げることができる組立式建屋の土台カバーを提供することを課題とするものである。
【課題を解決するための手段】
【０００８】
上記の課題を解決するために、請求項１の発明は、基礎上にアンカーボルトにて固定される断面Ｃ字状の土台と土台上部に取付けられる土台カバー補強金具を覆う組立式建屋の土台カバーであって、屋内側に雨水や着霜などの水滴の浸入を防ぐ段差を土台の長手方向に沿って備え、かつ土台の長手方向に対し幅方向に分割可能なことを特徴とする。
【０００９】
請求項２の発明は、前記土台カバーは、土台の長手方向に沿って屋外側を覆う第１の土台カバーと屋内側を覆う第２の土台カバーからなり、第１、第２のカバーを組合せることで前記段差を形成することを特徴とする。
【００１０】
請求項３の発明は、建屋の組み上げ後、前記第２の土台カバーのみを取外し、前記土台の長手方向に沿った開口部よりアンカーボルトの取付けまたは取外しを可能にしたことを特徴とする。
【００１１】
請求項４の発明は、前記第１の土台カバーは、基礎上から土台上部に取付けられる土台カバー補強金具までを高さ方向に沿って屋外側を覆う側面部と、前記土台カバー補強金具の上端にて屋内側に折り曲げ壁パネル支持するための折曲面部と、前記折曲面部の側端辺に第２の土台カバーを下方向から係合する立ち上がりアーム部とが土台の長手方向に沿ってこれらが一体的に形成され、前記第２の土台カバーは、基礎上から土台の高さ方向に沿って屋内側を覆う側面部と、土台と第２の土台カバーを固定するための断面略Ｌ字状の支持体と、前記側面部に連続して形成される前記第１の土台カバーの立ち上がりアーム部と上方向から係合する下向きアーム部とが土台の長手方向に沿ってこれらが一体的に形成されていることを特徴とする。
【発明の効果】
【００１２】
本願発明の組立式建屋は、第１の土台カバーの立ち上がりアーム部に第２の土台カバーの下向きアーム部を上方向から組合せることで、第１の土台カバーと第２の土台カバーの間にはある一定の高さをもった段差が形成され、屋外の雨水や屋内の壁パネルに着霜する水滴は当該段差に阻まれ屋内側に浸入せず、従来のように建屋組み上げの度に行われる、シール材によるコーキング作業を行う必要はなく組み上げ工期の短縮が図れるという効果がある。
【００１３】
また、土台の屋外側を覆う壁パネルが立設可能な第１の土台カバーと、土台の屋内側を覆う第２の土台カバーとが分割可能なため、組み上げ後は、土台カバーを構成する第２の土台カバーのみを取外すだけで、アンカーボルトの位置の変更や、あるいは新たなアンカーボルトの取付けが可能となり、結果ムダな廃材も出すことなく、かつ工期の時間的負担も大幅に短縮することができるという効果がある。
【発明を実施するための最良の形態】
【００１４】
本発明は、図３に示すような、組立式建屋１００の土台カバーに関するものである。以下、図面を参照して本発明の実施の形態につき詳細に説明する。
【００１５】
本発明の組立式建屋の土台カバー４について説明する。
【００１６】
組立式建屋の土台カバー４は、図１Ａに示すように、土台３の屋外側を覆う第１の土台カバー５と、土台３の屋内側を覆う第２の土台カバー６とから構成される。
【００１７】
土台３は図１Ｂに示すように半中空からなり、その縦断面は一側面に開口部３ｂを有する略Ｃ字状のものを単体（図示せず）で、若しくは、その縦断面略Ｃ字状の土台３の閉口部３ｃの背を合わせ固定したものを使用するのが好ましい。この場合、土台３の開口部３ｂは屋内側に向け設けられる。これは後述するように、建屋組み上げ後、土台３の開口部より、アンカーボルト２の取付け、取外しを容易に行うためである。
【００１８】
第１の土台カバー５は、基礎１上から土台３の上部に取付けられる土台カバー補強金具３ａまでを高さ方向に沿って屋外側を覆い（側面部５ａ）、前記土台カバー補強金具３ａの上端にて屋内側に直角に折り曲げ壁パネル７を支持するための折曲面部５ｂを連続して形成した後、第２の土台カバー６を下方向から係合するための立ち上がりアーム部５ｃを土台の長手方向に沿ってこれらが一体的に形成されている。
【００１９】
第２の土台カバー６は、基礎１上から土台３の高さ方向に沿って屋内側を覆い（側面部６ａ）、第１の土台カバー５の立ち上がりアーム部５ｃの上端の高さを越えた位置で屋外側に直角に折曲させた後、前記第１の土台カバー５の立ち上がりアーム部５ｃと上方向から係合する下向きアーム部６ｂを土台の長手方向に沿って一体的に形成されている。
【００２０】
また、第２の土台カバー６の中腹部には、第２の土台カバー６と土台３とをボルト１０ｂにて固定するための断面略Ｌ字状の支持体６ｃが土台３の長手方向に沿って設けられている。
【００２１】
ここで、第１の土台カバー５に形成される壁パネル支持するための折曲面部５ｂの縦断面幅は、壁パネル７の幅より幅広に形成されている。これは、図１Ａおよび図１Ｂに示すように第２の土台カバー６の下向きアーム部６ｂを、第１の土台カバー５の立ち上がりアーム部５ｃと壁パネル７の隙間Ｓに上方向から係合させるためである。
【００２２】
次に、本願発明の組立式建屋の土台カバー４の取付方法について説明する。
【００２３】
組立式建屋の土台カバー４は図１Ｂに示すように以下の順序で取付けられる。
【００２４】
基礎１上にアンカーボルト２にて土台３を固定し、土台３の上面に土台カバー補強金具３ａをボルト１０ａにて螺着した後（図１Ｄ参照）、土台３と土台カバー補強金具３ａを覆うようにして第１の土台カバー５を取付け、第１の土台カバー５の折曲面部５ｂに壁パネル７を立設する。
【００２５】
ここで、折曲面部５ｂに壁パネル７を立設する際は、第１の土台カバー５の立ち上がりアーム部５ｃから若干隙間Ｓを空けて立設することは、既に述べたとおりである。
【００２６】
壁パネル７を第１の土台カバー５の折曲面部５ｂに立設した後、第２の土台カバー６の下向きアーム部６ｂを隙間Ｓに第１の土台カバー５の立ち上がりアーム部５ｃと係合するように上方向から掛け合せ、第２の土台カバー６の支持体６ｃを土台３とボルト１０ｂにて螺着して土台カバー４の取付けは完了する。
【００２７】
なお、本願発明の組立式土台カバー４は、第１の土台カバー５の立ち上がりアーム部５ｃに第２の土台カバー６の下向きアーム部６ｂを上方向から係合することで、第１の土台カバー５と第２の土台カバー６の間にはある一定の高さをもった段差が形成されるため（図１Ａ参照）、屋外の雨水や屋内の壁パネルに着霜する水滴は当該段差に阻まれ、土台カバー５の折曲面部５ｂに溜まった水滴などは、図１Ｃに示すように、壁パネル連結具７ａの下部にある排水口９より順次屋外側に排出される。
【００２８】
次に、本願発明による組立式建屋のアンカーボルトの取付方法について説明する。
【００２９】
簡易店舗などの組立式建屋にあっては、建物を組み上げた後、構造的な変更や耐震性の事情も相俟って、アンカーボルト取付け位置の変更や、あるいは新たなアンカーボルトの取付けが必要な場合がある。
【００３０】
このような場合には、ボルト１０ｂで螺着し固定されている第２の土台カバー６の支持体６Ｃを土台３から取外し、それぞれ係合している第２の土台カバー６の下向きアーム部６ｂを第１の土台カバー５の立ち上がりアーム部５ｃから引き抜くことで第２の土台カバー６のみ取外すことができる。
【００３１】
土台３から第２の土台カバー６は取外すことで、基礎１と土台３を固定しているアンカーボルト２が断面Ｃ字状の土台３の開口に露呈し、直接アンカーボルト２を取外すことで、アンカーボルト取付け位置の変更が容易になる。
【００３２】
また、新たなアンカーボルトの取付けが必要な場合も同様である。
【図面の簡単な説明】
【００３３】
【図１Ａ】本発明の実施例を示す組立式建屋の土台カバーの縦断面図。
【図１Ｂ】図１Ａに示した土台カバー４から、第２の土台カバー６を取外した状態を示した縦断面図。
【図１Ｃ】屋外側からみた組立式建屋の土台カバーと壁パネルの構成図。
【図１Ｄ】土台３と土台カバー補強金具３ａの接続状態を示した横断面図。
【図２】従来の土台カバー４´と壁パネル７の構成を示す縦断面図。
【図３】本発明の組立式建屋の全体構成図。
【符号の説明】
【００３４】
１・・・・基礎
２・・・・アンカーボルトボルト
３・・・・土台
３ａ・・・土台カバー補強金具
３ｂ・・・開口部
３ｃ・・・閉口部
４・・・・土台カバー
４´・・・従来の土台カバー
５・・・・第１の土台カバー
５ａ・・・第１の土台カバーの側面部
５ｂ・・・折曲面部
５ｃ・・・立ち上がりアーム部
６・・・・第２の土台カバー
６ａ・・・第２の土台カバーの側面部
６ｂ・・・下向きアーム部
６ｃ・・・支持体
７・・・・壁パネル
７ａ・・・壁パネル連結具
８・・・・シール材によるコーキング
９・・・・排水口
１０ａ、１０ｂ・・・ボルト
１００・・組立式建屋の全体図
Ｓ・・・・隙間
【図１Ａ】
2008127815.tif 000003
【図１Ｂ】
2008127815.tif 000004
【図１Ｃ】
2008127815.tif 000005
【図１Ｄ】
2008127815.tif 000006
【図２】
2008127815.tif 000007
【図３】
2008127815.tif 000008